(57)【特許請求の範囲】
【請求項１】
ハウジングと、
前記ハウジングに形成されたキャビティと、
ケーブルが接続されて前記キャビティに対して前記ハウジングの後端側から挿入される端子と、
前記ハウジングの先端部に保持されるナットとを備え、
前記端子は、前記キャビティへの挿入方向へ延びる平板状の接続部と、前記接続部に形成された挿通孔とを有し、前記キャビティへ挿入されて前記ハウジングの先端部から突出された前記接続部が屈曲されて前記ハウジングの先端面に沿って配置され、前記ナットの雌ネジに前記挿通孔が連通されることを特徴とするコネクタ。
【請求項２】
前記ケーブルには、前記キャビティに前記端子が挿入された状態において前記キャビティに嵌合されて前記キャビティ内を防水する防水栓が設けられていることを特徴とする請求項１に記載のコネクタ。
【請求項３】
前記ハウジングの先端面には、前記端子の接続部を係止して保持する係止爪が設けられていることを特徴とする請求項１または請求項２に記載のコネクタ。
【発明の詳細な説明】
【技術分野】
【０００１】
本発明は、ケーブルに接続される端子を有するコネクタに関する。
【背景技術】
【０００２】
以前より、電線に圧着される電線圧着部と、取付孔が形成されている接続部とを備え、取付孔に雌ネジが形成され、この雌ネジへボルトをねじ込むことにより、相手側端子と接続される端子が知られている（例えば、特許文献１参照）。
【０００３】
また、接続部に外殻部を形成して外殻部に別体のナットを組み込むことにより、雌ネジの加工を伴うことによる製造コストの増加を抑えた端子も知られている（例えば、特許文献２参照）。
【先行技術文献】
【特許文献】
【０００４】
【特許文献１】特開２００２−２７０２５４号公報
【特許文献２】特開２００１−２５０５９８号公報
【発明の概要】
【発明が解決しようとする課題】
【０００５】
上記のように、接続部に雌ネジを形成したり、または外殻部を形成してナットを組み込んだ端子は、その接続部の大きさが大きくなる。すると、この端子をハウジングの後端側から挿入してコネクタを構成する場合、端子を挿入して通過させるための大きなキャビティをハウジングに設けなければならず、コネクタの大型化を招いてしまう。
【０００６】
また、後端側から挿入した端子が挿入方向と逆方向へ抜け出さないように、ハウジングに端子を係止する係止部であるランスを設けなければならず、このため、コネクタのさらなる大型化を招くとともに、構造の複雑化によるコストアップを招いてしまう。
【０００７】
本発明は、上述した事情に鑑みてなされたものであり、その目的は、極力コストを抑えつつ小型化が可能なコネクタを提供することにある。
【課題を解決するための手段】
【０００８】
前述した目的を達成するために、本発明に係るコネクタは、下記（１）〜（３）を特徴としている。
（１）  ハウジングと、前記ハウジングに形成されたキャビティと、ケーブルが接続されて前記キャビティに対して前記ハウジングの後端側から挿入される端子と、前記ハウジングの先端部に保持されるナットとを備え、前記端子は、前記キャビティへの挿入方向へ延びる平板状の接続部と、前記接続部に形成された挿通孔とを有し、前記キャビティへ挿入されて前記ハウジングの先端部から突出された前記接続部が屈曲されて前記ハウジングの先端面に沿って配置され、前記ナットの雌ネジに前記挿通孔が連通されること。
（２）  上記（１）の構成のコネクタにおいて、
前記ケーブルには、前記キャビティに前記端子が挿入された状態において前記キャビティに嵌合されて前記キャビティ内を防水する防水栓が設けられていること。
（３）  上記（１）または（２）の構成のコネクタにおいて、
前記ハウジングの先端面には、前記端子の接続部を係止して保持する係止爪が設けられていること。
【０００９】
上記（１）の構成のコネクタでは、ハウジングの先端面にナットが保持され、キャビティへ挿入されてハウジングの先端部から突出された平板状の接続部が屈曲されてハウジングの先端面に沿って配置されるので、雌ネジを形成したりナットを組み込んだ端子をハウジングのキャビティに挿入する構造のコネクタと比較して、キャビティを小さくすることができ、小型化を図ることができる。また、ハウジングの先端部から突出された端子の接続部が屈曲されてハウジングの先端面に沿って配置されているので、接続部をハウジングに係合させて端子の抜け出しを防止させることができ、複雑形状のランスを設けることによる大型化及びコストアップを抑えることができる。
上記（２）の構成のコネクタでは、キャビティを小さくすることができるので、キャビティを塞いで防水するための防水栓の小型化を図り、コスト低減を図ることができる。
上記（３）の構成のコネクタでは、端子の接続部がハウジングの先端面の係止爪によって係止されて保持されるので、ボルトによって相手側コネクタの端子と接続させる際に、端子の接続部の挿通孔へボルトを円滑に通してナットへねじ込んで良好に締結して接続することができる。
【発明の効果】
【００１０】
本発明によれば、極力コストを抑えつつ小型化が可能なコネクタを提供できる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】本発明の実施形態に係るコネクタの斜視図である。
【図２】本発明の実施形態に係るコネクタの分解斜視図である。
【図３】本発明の実施形態に係るコネクタの断面図である。
【図４】コネクタを構成するハウジングの背面図である。
【図５】（ａ）から（ｃ）は、それぞれコネクタの組立手順を説明する断面図である。
【図６】参考例のコネクタの斜視図である。
【図７】参考例のコネクタの分解斜視図である。
【図８】参考例のコネクタの断面図である。
【図９】参考例のコネクタを構成するハウジングの背面図である。
【発明を実施するための形態】
【００１３】
以下、本発明に係る実施形態の例を、図面を参照して説明する。
図１は本発明の実施形態に係るコネクタの斜視図、図２は本発明の実施形態に係るコネクタの分解斜視図、図３は本発明の実施形態に係るコネクタの断面図、図４はコネクタを構成するハウジングの背面図である。
【００１４】
図１から図３に示すように、コネクタ１１は、複数の端子２０と、これらの端子部２０が収容されるハウジング３０と、このハウジング３０を覆うシールドシェル４０と、ハウジング３０の後端において露出するハウジング３０及びケーブル２６を覆うシールド部材４１とを備えている。
【００１５】
端子２０は、銅板等の導電性金属材料をプレス加工することにより形成されたもので、後端側の圧着部２１と、ハウジング３０に形成された後述するキャビティ３１への挿入方向へ延びる平板状の接続部２２とを有している。圧着部２１には、ケーブル２６の導体が圧着固定されて電気的に接続される。接続部２２は、その中間部分において、一方の面側へ屈曲される屈曲部２３を有している。また、この接続部２２には、その先端と屈曲部２３との間に、挿通孔２４が形成されている。
【００１６】
この端子２０に接続されるケーブル２６には、端子２０側に、円筒状のゴム栓（防水栓）２７が装着されており、さらに、このゴム栓２７よりも端子２０と反対側に、リヤホルダ２８が設けられている。ゴム栓２７は、ハウジング３０との間で防水を行うもので、リヤホルダ２８は、ゴム栓２７を所定位置に保持するものである。
【００１７】
ハウジング３０は、絶縁性樹脂材料から成形されたもので、図４に示すように、端子２０が収容される複数のキャビティ３１を有している。
【００１８】
これらのキャビティ３１は、先端側から順に、端子２０の接続部２２が挿通される接続部挿通孔３２と、端子２０の圧着部２１が配置される圧着部収容孔３３と、ゴム栓２７及びリヤホルダ２８が収容されるゴム栓収容孔３４とを有している。接続部挿通孔３２と圧着部収容孔３３と境界の壁部は、端子２０の挿入を規制する挿入規制壁３１ａとされている。
【００１９】
そして、これらのキャビティ３１には、ハウジング３０の後端側から、屈曲前の端子２０が挿し込まれる。このキャビティ３１では、ゴム栓収容孔３４にゴム栓２７が嵌め込まれることにより、ゴム栓２７がゴム栓収容孔３４の内周面に液密的に密着する。これにより、キャビティ３１は、ゴム栓２７の装着箇所よりも前方側が防水される。
【００２０】
このハウジング３０には、その先端面に、ナット収容凹部３５が形成されている。このナット収容凹部３５には、中心に雌ネジ３６ａが形成された平面視矩形状のナット３６が収容されて保持される。
【００２１】
このハウジング３０の先端面には、接続部２２の屈曲された先端側が配置されており、この接続部２２に形成された挿通孔２４がナット収容凹部３５に収容されたナット３６の雌ネジ３６ａと連通されている。
【００２２】
ハウジング３０の先端面には、ナット収容凹部３５の両側部における上下に、係止爪３７が形成されており、これらの係止爪３７によって、ハウジング３０の先端面に沿って配置された接続部２２が係止されて保持される。
【００２３】
また、ハウジング３０の外周には、周方向へ渡ってパッキング部材３８が設けられており、このパッキング部材３８が相手側コネクタに密着してシールするようになっている。また、ハウジング３０の上部には、ロック機構部３９が設けられており、相手側コネクタに接続した際に、相手側コネクタに係合して接続状態を維持するようになっている。
【００２４】
シールドシェル４０は、導電性金属材料から形成されたもので、ハウジング３０に対して、その後端側からハウジング３０の周囲を覆うように装着される。また、シールドシェル４０の後端側には、導電性材料から形成されたシールド部材４１が設けられており、このシールド部材４１によって、シールドシェル４０の後端において露出するハウジング３０及びケーブル２６が覆われている。そして、これらのシールドシェル４０及びシールド部材４１によってコネクタ１１がシールドされる。
【００２５】
上記のコネクタ１１では、相手側コネクタと接続した状態で、相手側コネクタの端子に形成された挿通孔へ挿通したボルトを、ナット３６の雌ネジ３６ａへねじ込むことにより、コネクタ１１の端子２０と相手側コネクタの端子とが締結されて導通接続される。
【００２６】
次に、上記のコネクタ１１を組み立てる場合について説明する。
図５はコネクタの組立手順を説明する断面図である。
【００２７】
図５（ａ）に示すように、まず、ハウジング３０のキャビティ３１に対して、図中矢印Ａで示すように、後端側から屈曲前の端子２０を挿入する。すると、端子２０は、圧着部２１が挿入規制壁３１ａに当接することにより、キャビティ３１への挿入が規制されて過度の挿入が防止され、屈曲部２３を含む接続部２２がハウジング３０の先端部から突出された状態となる。
【００２８】
次に、ハウジング３０の先端面のナット収容凹部３５に、図中矢印Ｂで示すように、ナット３６を嵌め込み、ハウジング３０の先端部にナット３６を保持させる。
【００２９】
図５（ｂ）に示すように、端子２０の接続部２２を、ハウジング３０の先端から十分に突出させた状態において、接続部２２を、その屈曲部２３において図中矢印Ｃで示すように、約９０°屈曲させる。
【００３０】
図５（ｃ）に示すように、接続部２２を屈曲部２３において屈曲させたら、図中矢印Ｄに示すように、端子２０を挿入方向と逆方向の後端側へ引き戻す。
【００３１】
このようにすると、屈曲部２３において屈曲された接続部２２が、ナット３６を覆うように、ハウジング３０の先端面に沿って配置され、挿通孔２４がナット３６の雌ネジ３６ａと連通される。すると、このハウジング３０の先端面に設けられた係止爪３７によって端子２０の接続部２２が係止されて保持される。
【００３２】
その後は、予めケーブル２６を通しておいたゴム栓２７及びリヤホルダ２８をキャビティ３１のゴム栓収容孔３４へ嵌め込み、シールドシェル４０をハウジング３０に装着してシールド部材４１によってハウジング３０の後端とケーブル２６とを覆う。
【００３３】
以上、説明したように、上記実施形態に係るコネクタによれば、ハウジング３０の先端面にナット３６が保持され、キャビティ３１へ挿入されてハウジング３０の先端部から突出された平板状の接続部２２が屈曲されてハウジング３０の先端面に沿って配置されるので、雌ネジを形成したりナットを組み込んだ端子をハウジングのキャビティに挿入する構造のコネクタと比較して、キャビティを小さくすることができ、小型化を図ることができる。また、ハウジング３０の先端部から突出された端子２０の接続部２２が屈曲されてハウジング３０の先端面に沿って配置されるので、接続部２２をハウジング３０に係合させて端子２０の抜け出しを防止させることができ、複雑形状のランスを設けることによる大型化及びコストアップを抑えることができる。
【００３４】
また、キャビティ３１を小さくすることができるので、キャビティ３１を塞いで防水するためのゴム栓２７の小型化を図り、コスト低減を図ることができる。
【００３５】
さらには、端子２０の接続部２２がハウジング３０の先端面の係止爪３７によって係止されて保持されるので、ボルトによって相手側コネクタの端子と接続させる際に、端子２０の接続部２２の挿通孔２４へボルトを円滑に通してナット３６へねじ込んで良好に締結して接続することができる。
【００３６】
ここで、本発明の更なる優位性を説明するため、図６から図９に参考例を示す。
【００３７】
図６は参考例のコネクタの斜視図、図７は参考例のコネクタの分解斜視図、図８は参考例のコネクタの断面図、図９は参考例のコネクタを構成するハウジングの背面図である。
【００３８】
図６から図９に示すように、この参考例のコネクタは、ケーブル１が接続される端子２と、端子２が後端側から挿入されるキャビティ３ａを有するハウジング３と、ハウジング３を覆うように装着されるシールドシェル４と、シールドシェル４の後端において露出するハウジング３及びケーブル１を覆うシールド部材５とを備えている。
【００３９】
端子２の接続部２ａには、ナット圧着部２ｂが形成されており、このナット圧着部２ｂには、ナット６が圧着されて保持されている。
【００４０】
このようなコネクタでは、ナット６を保持する端子２の接続部２ａが大きくなってしまうため、ハウジング３のキャビティ３ａも、大きな接続部２ａを挿入して通過させることができる大きなものとしなければならない。
【００４１】
また、キャビティ２ａへ挿入した端子２の抜け出しを防ぐために、ハウジング３にランス３ｂを設けなければならなくなる。
【００４２】
したがって、このコネクタにあっては、大きなキャビティ３ａを要し、しかも、ランス３ｂを設けなければならないために、大型化を招き、また、キャビティ３ａを塞いで防水するためのゴム栓７の大型化及びランス３ｂを設けることによる構造の複雑化に伴い、コストアップを招いてしまう。
【００４３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４４】
１１  コネクタ
２０  端子
２２  接続部
２４  挿通孔
２６  ケーブル
２７  ゴム栓（防水栓）
３０  ハウジング
３１  キャビティ
３６  ナット
３６ａ  雌ネジ
３７  係止爪
【図１】
0005565946.tif 000002
【図２】
0005565946.tif 000003
【図３】
0005565946.tif 000004
【図４】
0005565946.tif 000005
【図５】
0005565946.tif 000006
【図６】
0005565946.tif 000007
【図７】
0005565946.tif 000008
【図８】
0005565946.tif 000009
【図９】
0005565946.tif 000010